(57)【特許請求の範囲】
【請求項１】
歯列矯正において位置調整すべき調整対象歯に装着される係合突起と、この係合突起に係合することにより調整対象歯に対して圧下又は挺出させる方向の付勢力を与える付勢力付与具とを具備しており、付勢力付与具は、調整対象歯に対して圧下又は挺出させる方向の付勢力を与えられるように、復元可能に撓められながら係合突起に係合する付勢部材と、この付勢部材が固着されていると共に当該付勢部材を保持すべく調整対象歯と同歯列にある他の歯に取り外し自在に装着される保持部材とを具備しており、保持部材は、調整対象歯と同歯列にある他の歯を覆って当該他の歯に取り外し自在に装着されるマウスピースからなり、付勢部材は、マウスピースに固着された固着部及びこの固着部から伸びてマウスピースの端部から突出している係合部を有したワイヤからなり、係合部は、弾性を有しており、調整対象歯に対して圧下又は挺出させる方向の付勢力を与えられるように復元可能に撓められながら係合突起に係合するようになっている歯列矯正具。
【請求項２】
係合突起を少なくとも二つ具備しており、二つの係合突起のうちの一方は調整対象歯の頬側の部位に装着されるようになっており、二つの係合突起のうちの他方は当該調整対象歯の舌側の部位に装着されるようになっている請求項１に記載の歯列矯正具。
【発明の詳細な説明】
【技術分野】
【０００１】
本発明は、歯を所望の方向、特に圧下又は挺出させる方向に付勢して歯列を矯正する歯列矯正具及びこれに用いられる付勢力付与具に関する。
【背景技術】
【０００２】
【特許文献１】特開２００５−３４９０４６号公報
【０００３】
例えば特許文献１においては、歯科矯正用のマウスピースが提案されている。斯かるマウスピースは、透光性を有するように形成した場合には口外から視認され難くなるために、審美性の向上に貢献するものである。
【発明の開示】
【発明が解決しようとする課題】
【０００４】
ところで、斯かるマウスピースでは、歯を覆うマウスピース自体の形状に基づいて位置調整すべき歯に対して圧力を与えることで歯列矯正を行うために、歯を移動、特に圧下又は挺出させることが困難である。
【０００５】
本発明は、前記諸点に鑑みてなされたものであり、その目的とするところは、歯を好適に移動、特に圧下又は挺出させることができる歯列矯正具及びこれに用いられる付勢力付与具を提供することにある。
【課題を解決するための手段】
【０００６】
本発明の歯列矯正具は、歯列矯正において位置調整すべき調整対象歯に装着される係合突起と、この係合突起に係合することにより調整対象歯に対して圧下又は挺出させる方向の付勢力を与える付勢力付与具とを具備しており、付勢力付与具は、調整対象歯に対して圧下又は挺出させる方向の付勢力を与えられるように、復元可能に撓められながら係合突起に係合する付勢部材と、この付勢部材が固着されていると共に当該付勢部材を保持すべく調整対象歯と同歯列にある他の歯に取り外し自在に装着される保持部材とを具備している。
【０００７】
本発明の歯列矯正具によれば、保持部材に保持された付勢部材により係合突起を付勢することで、当該係合突起が装着された調整対象歯に対して圧下又は挺出させる方向の付勢力を与えることができて、歯を好適に移動、特に、圧下又は挺出させることができ、しかも、保持部材の歯への取り付けにより保持部材に固着された付勢部材と調整対象歯に装着された係合突起とを簡単に係合させることができて、調整対象歯に対して圧下又は挺出させる方向の付勢力を容易に付与し得る一方、保持部材の歯からの取り外しにより保持部材に固着された付勢部材と調整対象歯に装着された係合突起との係合を簡単に解除させることができて、調整対象歯に対する圧下又は挺出させる方向の付勢力の付与を容易に解除し得る。保持部材は、付勢部材を保持するために、好ましくは調整対象歯の近傍に位置する歯に装着されるようになっており、より好ましくは調整対象歯に隣接する歯に装着されるようになっている。また、保持部材は、付勢部材を保持するために、複数本の歯に装着されるようになっていると好ましい。
【０００８】
本発明の歯列矯正具の好ましい例では、係合突起を少なくとも二つ具備しており、二つの係合突起のうちの一方は調整対象歯の頬側の部位に装着されるようになっており、二つの係合突起のうちの他方は当該調整対象歯の舌側の部位に装着されるようになっている。斯かる好ましい例によれば、二つの係合突起の夫々に対して付勢部材を係合させることができて、調整対象歯の頬側の部位及び舌側の部位の夫々に圧下又は挺出させる方向の付勢力を自在に与えることができ、例えば、付勢部材により、一方の係合突起を介して調整対象歯の頬側の部位に圧下させる方向の付勢力を与える一方、他方の係合突起を介して当該調整対象歯の舌側の部位に圧下させる方向の付勢力を与えることができ、付勢部材により、一方の係合突起を介して調整対象歯の頬側の部位に挺出させる方向の付勢力を与える一方、他方の係合突起を介して当該調整対象歯の舌側の部位に挺出させる方向の付勢力を与えることができ、付勢部材により、一方の係合突起を介して調整対象歯の頬側の部位に圧下させる方向の付勢力を与える一方、他方の係合突起を介して当該調整対象歯の舌側の部位に挺出させる方向の付勢力を与えることができ、そして、付勢部材により、一方の係合突起を介して調整対象歯の頬側の部位に挺出させる方向の付勢力を与える一方、他方の係合突起を介して当該調整対象歯の舌側の部位に圧下させる方向の付勢力を与えることができる。
【０００９】
本発明の歯列矯正具の好ましい例では、保持部材は、調整対象歯と同歯列にある他の歯を覆って当該他の歯に取り外し自在に装着されるマウスピースからなり、付勢部材は、マウスピースに固着された固着部及びこの固着部から伸びてマウスピースの端部から突出している係合部を有したワイヤからなり、係合部は、弾性を有しており、調整対象歯に対して圧下又は挺出させる方向の付勢力を与えられるように復元可能に撓められながら係合突起に係合するようになっている。斯かる好ましい例によれば、保持部材の歯への取り付け及び取り外しをより簡単に行うことができ、また、保持部材を口外から視認され難くすることができて審美性の向上をも図り得る。
【００１０】
本発明の付勢力付与具は、歯列矯正において位置調整すべき調整対象歯に対して圧下又は挺出させる方向の付勢力を与えられるように、調整対象歯に装着された状態の係合突起に復元可能に撓められながら係合する付勢部材と、この付勢部材が固着されていると共に当該付勢部材を保持すべく調整対象歯と同歯列にある他の歯に取り外し自在に装着される保持部材とを具備している。本発明の付勢力付与具によれば、調整対象歯に装着された状態の係合突起と係合されることによって上記同様の効果を奏し得る。
【発明の効果】
【００１１】
本発明によれば、歯を好適に移動、特に圧下又は挺出させることができる歯列矯正具及びこれに用いられる付勢力付与具を提供し得る。
【発明を実施するための最良の形態】
【００１２】
次に、本発明の実施の形態の例を、図に示す例に基づいて更に詳細に説明する。尚、本発明は、これら例に何等限定されないのである。
【００１３】
図１から図６において、本例の歯列矯正具１は、歯列矯正において位置調整すべき調整対象歯としての下顎側の一方の第一大臼歯２に装着される少なくとも一つ、本例では二つの係合突起３及び４と、歯列矯正において位置調整すべき調整対象歯としての下顎側の他方の第一大臼歯２ａに装着される少なくとも一つ、本例では二つの係合突起３ａ及び４ａと、係合突起３及び４並びに係合突起３ａ及び４ａに係合することにより第一大臼歯２及び２ａに対して圧下又は挺出させる方向の付勢力、本例では挺出させるＡ方向の付勢力を与える付勢力付与具９とを具備している。
【００１４】
係合突起３及び４は、第一大臼歯２の周面１１に装着される変形可能な環状体１２の外周面１３に夫々設けられており、係合突起３ａ及び４ａは、第一大臼歯２ａの周面１１ａに装着される変形可能な環状体１２ａの外周面１３ａに夫々設けられている。係合突起３及び４並びに環状体１２は、第一大臼歯２に装着される一つの係合突起部材１４を形成しており、係合突起３ａ及び４ａ並びに環状体１２ａは、第一大臼歯２ａに装着される一つの係合突起部材１４ａを形成している。
【００１５】
係合突起部材１４は、金属製、例えばステンレス製であってもよく、また、樹脂製、例えば光重合レジン製であってもよい。
【００１６】
環状体１２は、歯面形状に合致するように変形可能な円環状の部材からなり、その内周面１５において第一大臼歯２の周面１１に当接するように形成されている。環状体１２の外周面１３には係合突起３及び４が一体的に設けられている。環状体１２は、０．０５ｍｍから０．５ｍｍ程度の肉厚を有していてもよく、また、０．１ｍｍから０．５ｍｍ程度の肉厚を有していてもよい。環状体１２の上縁１６及び下縁１７には、テーパ処理が施されていてもよい。
【００１７】
係合突起３は第一大臼歯２の頬側の部位１８に、係合突起４は第一大臼歯２の舌側の部位１９に夫々配置されるように互いに対向して環状体１２に設けられている。係合突起３は部位１８側から頬側に向かって突出しており、係合突起４は部位１９側から舌側に向かって突出している。係合突起３及び４の夫々の突出長さは、２ｍｍ以下であってもよく、例えば１．５ｍｍから２ｍｍ程度であってもよい。係合突起３及び４は、本例では半球状であるが、係合相手部材である付勢部材５及び６に夫々好適に係合可能な形状であるならば、例えば、略半球状、方形状、円柱状、截頭円錐状のいずれの形状であってもよい。斯かる係合突起３及び４は、環状体１２の第一大臼歯２に対する装着によって当該第一大臼歯２を間にして互いに対向して配置される。環状体１２に設けられた係合突起３及び４は、例えば、環状体１２の一部が押出されることによって形成されていてもよい。
【００１８】
係合突起部材１４ａは、係合突起部材１４と同様に形成されているので、以下、図に適宜符号ａを付してその詳細な説明を省略する。
【００１９】
付勢力付与具９は、第一大臼歯２に対して挺出させるＡ方向の付勢力を与えられるように、復元可能に撓められながら係合突起３に係合する付勢部材５と、第一大臼歯２に対してＡ方向の付勢力を与えられるように、復元可能に撓められながら係合突起４に係合する付勢部材６と、第一大臼歯２ａに対してＡ方向の付勢力を与えられるように、復元可能に撓められながら係合突起３ａに係合する付勢部材５ａと、第一大臼歯２ａに対してＡ方向の付勢力を与えられるように、復元可能に撓められながら係合突起４ａに係合する付勢部材６ａと、付勢部材５及び６並びに付勢部材５ａ及び６ａが固着されていると共に当該付勢部材５及び６並びに付勢部材５ａ及び６ａを保持すべく第一大臼歯２及び２ａと同歯列にある他の歯７に取り外し自在に装着される保持部材８とを具備している。
【００２０】
本例の付勢力付与具９は、正中線１０との関係において略々線対称であるが、歯列矯正具１を用いる者の歯列形状に対応させるため少々の形状の差異は生じる。本例においては、付勢部材５及び６並びに付勢部材５ａ及び６ａの夫々はワイヤからなり、保持部材８は、歯７を覆って当該他の歯に取り外し自在に装着されるマウスピースからなる。以下、前記ワイヤについては符号５、５ａ、６及び６ａを夫々付し、前記マウスピースについては符号８を付す。
【００２１】
マウスピース８は、第一大臼歯２及び２ａと同歯列にある歯７に沿って湾曲されており、当該歯７を覆って当該歯７に取り外し自在に装着されるようになっている。マウスピース８に覆われる歯７は、本例では、正中線１０に対して一方側に位置する中切歯２１、側切歯２２、犬歯２３、第一小臼歯２４及び第二小臼歯２５並びに正中線１０に対して他方側に位置する中切歯２１ａ、側切歯２２ａ、犬歯２３ａ、第一小臼歯２４ａ及び第二小臼歯２５ａであり、マウスピース８は、歯７に装着された場合には、歯列において第一大臼歯２及び２ａ間に位置することとなる。
【００２２】
マウスピース８は、合成樹脂製（エチレンビニルアセテート（ＥＶＡ）製、セルロースアセトブチレート製、ポリエチレンテレフタレート製等を含む）であり、透光性を有している。マウスピース８の歯７に当接する当接面３１は、本例では、中切歯２１及び２１ａ、側切歯２２及び２２ａ、犬歯２３及び２３ａ、第一小臼歯２４及び２４ａ並びに第二小臼歯２５及び２５ａからなる歯列に対して相補的な形状を有している。
【００２３】
マウスピース８は、全体として薄肉に形成されるのが好ましい。マウスピース８の肉厚は本例では０．８ｍｍから２ｍｍ程度であるが、ワイヤ５及び６並びにワイヤ５ａ及び６ａが夫々埋設されている部位３２は、ワイヤ５及び６並びにワイヤ５ａ及び６ａの夫々の固着部４１及び５１の露呈を防止すべく、前記肉厚と比べて厚肉に形成されていてもよい。本例のマウスピース８は、ワイヤ５及び６並びにワイヤ５ａ及び６ａを好適に保持することができる範囲において、調整対象歯としての第一大臼歯２を除く少なくとも一つの歯７に装着されるように形成されていてもよい。
【００２４】
マウスピース８は、当該マウスピース８によって覆われる中切歯２１及び２１ａ、側切歯２２及び２２ａ、犬歯２３及び２３ａ、第一小臼歯２４及び２４ａ並びに第二小臼歯２５及び２５ａの中にも位置調整すべき歯が存在する場合には、当該歯に対して適正位置側に向かう圧力を与えることができるように、歯列矯正前の歯列と歯列矯正されるべき歯が適正位置に配された場合の歯列とに基づいて形成されていてもよい。斯かる場合には、第一大臼歯２及び２ａの矯正に加えて、中切歯２１及び２１ａ、側切歯２２及び２２ａ、犬歯２３及び２３ａ、第一小臼歯２４及び２４ａ並びに第二小臼歯２５及び２５ａのうちの少なくともいずれか一つの歯の矯正をも行い得る。
【００２５】
本例のマウスピース８は、歯列において第一大臼歯２及び２ａ間に位置する中切歯２１及び２１ａ、側切歯２２及び２２ａ、犬歯２３及び２３ａ、第一小臼歯２４及び２４ａ並びに第二小臼歯２５及び２５ａに装着されるようになっているが、例えば、調整対象歯が第一大臼歯２のみである場合には、マウスピース８に代えて、第一大臼歯２の近傍に位置する第二小臼歯２５又は第二大臼歯２６のみに装着されるマウスピース（図示せず）であってもよく、第二小臼歯２５に加えて、第二小臼歯２５に隣接する第一小臼歯２４、第一小臼歯２４に隣接する犬歯２３、・・・にも装着されるマウスピース（図示せず）であってもよい。また例えば、調整対象歯が犬歯２３である場合には、犬歯２３の近傍に位置する第一小臼歯２４又は側切歯２２のみに装着されるマウスピース（図示せず）であってもよく、第一小臼歯２４に加えて、第一小臼歯２４に隣接する第二小臼歯２５、第二小臼歯２５に隣接する第一大臼歯２、・・・にも装着されるマウスピース（図示せず）であってもよく、また、側切歯２２に加えて、側切歯２２に隣接する中切歯２１、中切歯２１に隣接する中切歯２１ａ、・・・にも装着されるマウスピース（図示せず）であってもよい。
【００２６】
ワイヤ５及び６は、弾性を有しており、主にチタン、モリブデンを含んで形成されていてもよい。ワイヤ５及び６には、例えば歯列矯正用ワイヤを適用してもよい。ワイヤ５及び６は、金属製、合成樹脂製、熱可塑性の合成樹脂製であってもよい。
【００２７】
ワイヤ５は、マウスピース８に固着された固着部４１及び固着部４１から伸びてマウスピース８の正中線１０に対して一方側に位置する端部４２から突出している係合部４３を有している。
【００２８】
固着部４１は、マウスピース８に固着されるワイヤ５の部分からなる。固着部４１は、マウスピース８の正中線１０に対して一方側に位置する頬側の部位３２に埋設されており、当該部位３２に沿って伸びている。固着部４１のマウスピース８に埋設された端部４４は、マウスピース８からの脱落が防止されるように、上顎側又は下顎側、本例では上顎側に向かって折り曲げられている。マウスピース８の正中線１０に対して一方側に位置する頬側の部位３２は、本例では第一小臼歯２４及び第二小臼歯２５の周面２２の頬側の部位を覆うように形成されている。
【００２９】
係合部４３は、マウスピース８から露呈したワイヤ５の部分からなる。係合部４３は、弾性を有しており、マウスピース８の端部４２側に位置する固着部４１の端部に連なっていると共に第一大臼歯２の頬側の部位１８の形状に沿って近心側から遠心側に向かって伸びている。係合部４３は、第一大臼歯２にＡ方向の付勢力を与えるべく、上顎側に向かって伸びており、また、係合突起３との良好な係合状態を維持することができるように舌側に向かって伸びている。係合部４３は、第一大臼歯２の頬側の部位１８の形状に沿って折り曲げ自在であり、第一大臼歯２の部位１８の形状に対して相補的な形状に折り曲げ得る。係合部４３には、例えば図１、図２並びに図３の（ａ）及び（ｂ）に示すように、その先端部が折り返されてなる膨大部４５が形成されている。斯かる係合部４３は、その棒状部４６において係合突起３の下顎側の部位４７に係合するようになっているが、当該係合に加えて、膨大部４５においても図１２の（ａ）に示すように係合突起３に係合するようになっていてもよい。膨大部４５によれば、付勢力付与具９の装着者の口内損傷等の虞を減少させ得、また、ワイヤ５と係合突起３との係合をより確実に行わせ得る。棒状部４６は、本例では断面円形状であるが、例えば、断面半円形状であってもよく、また、断面三角形状、断面四角形状等の多角形状であってもよい。
【００３０】
ワイヤ５が係合突起３に係合される場合においては、係合部４３の棒状部４６は、例えば図３の（ｂ）及び図５に示すように、二点鎖線で示す棒状部４６の位置から実線で示す棒状部４６の位置まで下顎側及び頬側に撓められながら変位する。このように棒状部４６が変位した係合部４３は、その復元力により係合突起３に対して上顎側に向かう押圧力ｐ１及び舌側に向かう押圧力ｐ２を生じる。押圧力ｐ１は、係合突起３を介して第一大臼歯２に与えるＡ方向の付勢力となり、押圧力ｐ２は、係合部４３の係合突起３からの離反に抗する力となる。
【００３１】
尚、本例の係合部４３は、その棒状部４６において復元可能な撓みを生じるように形成されているが、例えば、棒状部４６に局所的に湾曲形成された部位を形成し、当該部位において主に復元可能な撓みを生じるように形成されていてもよい。
【００３２】
ワイヤ５に対して舌側に位置するワイヤ６は、マウスピース８に固着された固着部５１及び固着部５１から伸びてマウスピース８の端部４２から突出している係合部５３を有している。
【００３３】
固着部５１は、マウスピース８の正中線１０に対して一方側に位置する舌側の部位３２に埋設されており、当該部位３２に沿って伸びている。マウスピース８の正中線１０に対して一方側に位置する舌側の部位３２は、本例では中切歯２１、側切歯２２、犬歯２３、第一小臼歯２４及び第二小臼歯２５の周面２２の舌側の部位を覆うように形成されている。固着部５１のマウスピース８に埋設された端部５４は、中切歯２１を覆うマウスピース８の舌側の部位に位置する。
【００３４】
係合部５３は、マウスピース８から露呈したワイヤ６の部分からなる。係合部５３は、弾性を有しており、マウスピース８の端部４２側に位置する固着部５１の端部に連なっていると共に第一大臼歯２の舌側の部位１９の形状に沿って近心側から遠心側に向かって伸びている。係合部５３は、第一大臼歯２にＡ方向の付勢力を与えるべく、上顎側に向かって伸びており、また、係合突起４との良好な係合状態を維持することができるように頬側に向かって伸びている。係合部５３は、第一大臼歯２の舌側の部位１９の形状に沿って折り曲げ自在であり、第一大臼歯２の部位１９の形状に対して相補的な形状に折り曲げ得る。係合部５３には、例えば図１、図２及び図３の（ａ）に示すように、その先端部が折り返されてなる膨大部５５が形成されている。斯かる係合部５３は、その棒状部５６において係合突起４の下顎側の部位５７に係合するようになっているが、当該係合に加えて、膨大部５５においても係合突起４に係合するようになっていてもよい。膨大部５５によれば、付勢力付与具９の装着者の口内損傷等の虞を減少させ得、また、ワイヤ６と係合突起４との係合をより確実に行わせ得る。棒状部５６は、本例では断面円形状であるが、例えば、断面半円形状であってもよく、また、断面三角形状、断面四角形状等の多角形状であってもよい。
【００３５】
ワイヤ６が係合突起４に係合される場合においては、係合部５３の棒状部５６は、例えば図５に示すように、二点鎖線で示す棒状部５６の位置から実線で示す棒状部５６の位置まで下顎側及び舌側に撓められながら変位する。このように棒状部５６が変位した係合部５３は、その復元力により係合突起４に対して上顎側に向かう押圧力ｐ３及び頬側に向かう押圧力ｐ４を生じる。押圧力ｐ３は、係合突起４を介して第一大臼歯２に与えるＡ方向の付勢力となる、押圧力ｐ４は、係合部５３の係合突起４からの離反に抗する力となる。
【００３６】
尚、本例の係合部５３は、その棒状部５６において復元可能な撓みを生じるように形成されているが、例えば、棒状部５６に局所的に湾曲形成された部位を形成し、当該部位において主に復元可能な撓みを生じさせるように形成されていてもよい。
【００３７】
斯かるワイヤ５及び６は、互いに協働して第一大臼歯２が歯列矯正後に配されるべき位置に向かって移動されるように係合突起３及び４を夫々介して当該第一大臼歯２をＡ方向に付勢する。ワイヤ５及び６は、係合部４３による係合突起３に対する付勢力と係合部５３による係合突起４に対する付勢力とが互いに等しくなるように夫々形成されていてもよいが、例えば、係合部５３による係合突起４に対する付勢力が係合部４３による係合突起３に対する付勢力に対して上回るように夫々形成されていてもよく、また、係合部５３による係合突起４に対する付勢力が係合部４３による係合突起３に対する付勢力に対して下回るように夫々形成されていてもよい。ワイヤ５及び６の係合突起３及び４に対する夫々の付勢力は、ワイヤ５及び６の夫々の材質、径や形状などの如何によって設定可能である。
【００３８】
尚、付勢力付与具９は、第一大臼歯２に対して圧下させるＢ方向の付勢力を与える場合には、ワイヤ５及び６に代えて、例えば図７の（ａ）及び（ｂ）並びに図８に示すように、第一大臼歯２に対してＢ方向の付勢力を与えられるように、復元可能に撓められながら係合突起３に係合する付勢部材としてのワイヤ６５と、第一大臼歯２に対して圧下させるＢ方向の付勢力を与えられるように、復元可能に撓められながら係合突起４に係合する付勢部材としてのワイヤ６６とを具備していてもよく、また、ワイヤ５ａ及びワイヤ６ａに代えて、ワイヤ６５及び６６を具備していてもよい。
【００３９】
ワイヤ６５は、固着部４１と同様に形成された固着部７１と、係合部４３と略同様に形成されているが、棒状部７６が下顎側に向かって伸びている係合部７３とを具備している。係合部７３は、係合突起３の上顎側の部位７７に係合される。ワイヤ６５が係合突起３に係合される場合においては、係合部７３の棒状部７６は、例えば図７の（ｂ）及び図８に示すように、二点鎖線で示す棒状部７６の位置から実線で示す棒状部７６の位置まで上顎側及び頬側に撓められながら変位する。このように棒状部７６が変位した係合部７３は、その復元力により係合突起３に対して下顎側に向かう押圧力ｐ５及び舌側に向かう押圧力ｐ６を生じる。押圧力ｐ５は、係合突起３を介して第一大臼歯２に与えるＢ方向の付勢力となり、押圧力ｐ６は、係合部７３の係合突起３からの離反に抗する力となる。
【００４０】
ワイヤ６６は、固着部５１と同様に形成された固着部（図示せず）と、係合部５３と略同様に形成されているが、棒状部８６が下顎側に向かって伸びている係合部８３とを具備している。係合部８３は、係合突起４の上顎側の部位８７に係合される。ワイヤ６６が係合突起４に係合される場合においては、係合部８３の棒状部８６は、例えば図８に示すように、二点鎖線で示す棒状部８６の位置から実線で示す棒状部８６の位置まで上顎側及び舌側に撓められながら変位する。このように棒状部８６が変位した係合部８３は、その復元力により係合突起４に対して下顎側に向かう押圧力ｐ７及び頬側に向かう押圧力ｐ８を生じる。押圧力ｐ７は、係合突起４を介して第一大臼歯２に与えるＢ方向の付勢力となり。押圧力ｐ８は、係合部８３の係合突起４からの離反に抗する力となる。
【００４１】
ワイヤ５ａはワイヤ５と同様に形成されており、ワイヤ６ａはワイヤ６と同様に形成されているので、ワイヤ５ａ及び６ａについては、図に適宜符号ａを付してその詳細な説明を省略する。尚、ワイヤ５ａ及び６ａの夫々の係合部４３ａ及び５３ａはマウスピース８の正中線１０に他方側に位置する端部５２から突出している。
【００４２】
歯列矯正具１は、例えば図６に示すように下顎側の歯に装着される。まず、係合突起部材１４が第一大臼歯２に、係合突起部材１４ａが第一大臼歯２ａに夫々装着される。係合突起部材１４は、環状体１２に第一大臼歯２を通し、当該環状体１２を第一大臼歯２の周面１１に対してかしめることによって第一大臼歯２に装着される。係合突起部材１４ａは、環状体１２ａに第一大臼歯２ａを通し、当該環状体１２ａを第一大臼歯２ａの周面１１ａに対してかしめることによって第一大臼歯２ａに装着される。係合突起３及び４は環状体１２を第一大臼歯２にかしめる際に第一大臼歯２の頬側の部位１８及び舌側の部位１９に夫々位置決めされる。係合突起３ａ及び４ａは環状体１２ａを第一大臼歯２ａにかしめる際に第一大臼歯２ａの頬側の部位１８ａ及び舌側の部位１９ａに夫々位置決めされる。このようにして、第一大臼歯２及び２ａに夫々装着された係合突起部材１４及び１４ａは、歯列矯正具１による歯列矯正が終了するまで装着されたままの状態であってもよい。尚、係合突起部材１４及び１４ａの第一大臼歯２及び２ａへの装着には接着剤を用いてもよい。
【００４３】
次に、ワイヤ５及び６を係合突起３及び４に、ワイヤ５ａ及び６ａを係合突起３ａ及び４ａに夫々係合させ、斯かる係合状態を維持しながらマウスピース８を歯７に装着する。マウスピース８を歯７に装着する際には、ワイヤ５及び６並びにワイヤ５ａ及び６ａは、夫々復元可能に撓められ、この撓みにより係合突起３及び４並びに係合突起３ａ及び４ａをＡ方向に付勢し、而して、第一大臼歯２及び２ａに対してＡ方向の付勢力を与える。
【００４４】
また、マウスピース８及びマウスピース８に固着されたワイヤ５及び６並びにワイヤ５ａ及び６ａは、次の通りに取り外すことができる。まず、マウスピース８を歯７から取り外し、この取り外しによりワイヤ５及び６並びにワイヤ５ａ及び６ａによる係合突起３及び４並びに係合突起３ａ及び４ａに対するＡ方向の付勢を解除し、更にワイヤ５及び６並びにワイヤ５ａ及び６ａを係合突起３及び４並びに３ａ及び４ａから離反させることで前記係合を解除し、このようにして、マウスピース８及びワイヤ５及び６並びにワイヤ５ａ及び６ａを取り外す。
【００４５】
歯列矯正具１によれば、歯列矯正において位置調整すべき調整対象歯としての第一大臼歯２に夫々装着される係合突起３及び４と、歯列矯正において位置調整すべき調整対象歯としての第一大臼歯２ａに夫々装着される係合突起３ａ及び４ａと、係合突起３及び４並びに係合突起３ａ及び４ａに係合することにより第一大臼歯２及び第一大臼歯２ａに対して圧下又は挺出させる方向の付勢力を与える付勢力付与具９とを具備しており、付勢力付与具９は、第一大臼歯２に対して挺出させるＡ方向の付勢力を与えられるように、復元可能に撓められながら係合突起３に係合する付勢部材としてのワイヤ５又は第一大臼歯２に対して圧下させるＢ方向の付勢力を与えられるように、復元可能に撓められながら係合突起３に係合する付勢部材としてのワイヤ６５と、第一大臼歯２に対して挺出させるＡ方向の付勢力を与えられるように、復元可能に撓められながら係合突起４に係合する付勢部材としてのワイヤ６又は第一大臼歯２に対して圧下させるＢ方向の付勢力を与えられるように、復元可能に撓められながら係合突起４に係合する付勢部材としてのワイヤ６６と、第一大臼歯２ａに対して挺出させるＡ方向の付勢力を与えられるように、復元可能に撓められながら係合突起３ａに係合する付勢部材としてのワイヤ５ａ又は第一大臼歯２ａに対して圧下させるＢ方向の付勢力を与えられるように、復元可能に撓められながら係合突起３ａに係合する付勢部材としてのワイヤ６５と、第一大臼歯２ａに対して挺出させるＡ方向の付勢力を与えられるように、復元可能に撓められながら係合突起４ａに係合する付勢部材としてのワイヤ６ａ又は第一大臼歯２ａに対して圧下させるＢ方向の付勢力を与えられるように、復元可能に撓められながら係合突起４ａに係合する付勢部材としてのワイヤ６６と、ワイヤ５及び６並びにワイヤ５ａ及び６ａ又はワイヤ６５及び６６が固着されていると共に当該ワイヤ５及び６並びにワイヤ５ａ及び６ａ又はワイヤ６５及び６６を保持すべく第一大臼歯２及び第一大臼歯２ａと同歯列にある他の歯７に取り外し自在に装着される保持部材としてのマウスピース８とを具備しているために、マウスピース８に保持されたワイヤ５及び６並びにワイヤ５ａ及び６ａ又はワイヤ６５及び６６により係合突起３及び４並びに係合突起３ａ及び４ａを付勢することで、当該係合突起３及び４並びに係合突起３ａ及び４ａが装着された第一大臼歯２及び第一大臼歯２ａに対して圧下させるＢ方向又は挺出させるＡ方向の付勢力を与えることができて、第一大臼歯２及び第一大臼歯２ａを好適に移動、特に、圧下又は挺出させることができ、しかも、マウスピース８の歯７への取り付けによりマウスピース８に固着されたワイヤ５及び６並びにワイヤ５ａ及び６ａ又はワイヤ６５及び６６と第一大臼歯２及び第一大臼歯２ａに装着された係合突起３及び４並びに係合突起３ａ及び４ａとを簡単に係合させることができて、第一大臼歯２及び第一大臼歯２ａに対して圧下させるＢ方向又は挺出させるＡ方向の付勢力を容易に付与し得る一方、マウスピース８の歯７からの取り外しによりマウスピース８に固着されたワイヤ５及び６並びにワイヤ５ａ及び６ａ又はワイヤ６５及び６６と第一大臼歯２及び第一大臼歯２ａに装着された係合突起３及び４並びに係合突起３ａ及び４ａとの係合を簡単に解除させることができて、第一大臼歯２及び第一大臼歯２ａに対する圧下させるＢ方向又は挺出させるＡ方向の付勢力の付与を容易に解除し得る。また、歯列矯正具１によれば、マウスピース８が、第一大臼歯２及び第一大臼歯２ａの夫々の近傍に位置する歯、特に当該第一大臼歯２及び第一大臼歯２ａの夫々に隣接する第二小臼歯２５及び２５ａに装着され、しかも、第二小臼歯２５及び２５ａの夫々に隣接する第一小臼歯２４及び２４ａ、第一小臼歯２４及び２４ａに隣接する犬歯２３及び２３ａ、犬歯２３及び２３ａに隣接する側切歯２２及び２２ａ並びに側切歯２２及び２２ａに隣接する中切歯２１及び２１ａという複数本の歯７に装着されるようになっているために、ワイヤ５及び６並びにワイヤ５ａ及び６ａ又はワイヤ６５及び６６をより確実に保持し得る。
【００４６】
歯列矯正具１によれば、第一大臼歯２に装着される少なくとも二つの係合突起３及び４を具備しており、係合突起３及び４のうちの一方の係合突起３は第一大臼歯２の頬側の部位１８に装着されるようになっており、係合突起３及び４のうちの他方の係合突起４は当該第一大臼歯２の舌側の部位１９に装着されるようになっており、また、第一大臼歯２ａに装着される少なくとも二つの係合突起３ａ及び４ａを具備しており、係合突起３ａ及び４ａのうちの一方の係合突起３ａは第一大臼歯２ａの頬側の部位１８ａに装着されるようになっており、係合突起３ａ及び４ａのうちの他方の係合突起４ａは当該第一大臼歯２ａの舌側の部位１９ａに装着されるようになっているために、係合突起３及び４の夫々に対してワイヤ５及び６又はワイヤ６５及び６６を係合させ且つ係合突起３ａ及び４ａに対してワイヤ５ａ及び６ａ又はワイヤ６５及び６６を係合させることができて、第一大臼歯２及び２ａの頬側の部位１８及び１８ａ並びに舌側の部位１９及び１９ａの夫々に付勢力を自在に与えることができ、例えば、ワイヤ５及び６により、係合突起３を介して第一大臼歯２の頬側の部位１８に挺出させるＡ方向の付勢力を与える一方、他方の係合突起４を介して当該第一大臼歯２の舌側の部位１９に挺出させるＡ方向の付勢力を与えることができ、ワイヤ５ａ及び６ａにより、係合突起３ａを介して第一大臼歯２ａの頬側の部位１８ａに挺出させるＡ方向の付勢力を与える一方、他方の係合突起４ａを介して当該第一大臼歯２ａの舌側の部位１９ａに挺出させるＡ方向の付勢力を与えることができ、正中線１０に対して一方側に位置するワイヤ６５及び６６により、係合突起３を介して第一大臼歯２の頬側の部位１８に圧下させるＢ方向の付勢力を与える一方、係合突起４を介して当該第一大臼歯２の舌側の部位１９に圧下させるＢ方向の付勢力を与えることができ、正中線１０に対して他方側に位置するワイヤ６５及び６６により、係合突起３ａを介して第一大臼歯２ａの頬側の部位１８ａに圧下させるＢ方向の付勢力を与える一方、係合突起４ａを介して当該第一大臼歯２ａの舌側の部位１９ａに圧下させるＢ方向の付勢力を与えることができ、正中線１０に対して一方側に位置するワイヤ５及び６６により、係合突起３を介して第一大臼歯２の頬側の部位１８に挺出させるＡ方向の付勢力を与える一方、係合突起４を介して当該第一大臼歯２の舌側の部位１９に圧下させるＢ方向の付勢力を与えることができ、正中線１０に対して他方側に位置するワイヤ５ａ及び６６により、係合突起３ａを介して第一大臼歯２ａの頬側の部位１８ａに挺出させるＡ方向の付勢力を与える一方、係合突起４ａを介して当該第一大臼歯２ａの舌側の部位１９ａに圧下させるＢ方向の付勢力を与えることができ、正中線１０に対して一方側に位置するワイヤ６５及び６により、係合突起３を介して第一大臼歯２の頬側の部位１８に圧下させるＢ方向の付勢力を与える一方、係合突起４を介して当該第一大臼歯２の舌側の部位１９に挺出させるＡ方向の付勢力を与えることができ、そして、正中線１０に対して他方側に位置するワイヤ６５及び６ａにより、係合突起３ａを介して第一大臼歯２ａの頬側の部位１８ａに圧下させるＢ方向の付勢力を与える一方、係合突起４ａを介して当該第一大臼歯２ａの舌側の部位１９ａに挺出させるＡ方向の付勢力を与えることができる。
【００４７】
歯列矯正具１によれば、保持部材８は、第一大臼歯２及び２ａと同歯列にある他の歯７を覆って当該他の歯７に取り外し自在に装着されるマウスピース８からなり、付勢部材５は、マウスピース８に固着された固着部４１及び固着部４１から伸びてマウスピース８の端部４２から突出している係合部４３を有したワイヤ５又はマウスピース８に固着された固着部７１及び固着部７１から伸びてマウスピース８の端部４２から突出している係合部７３を有したワイヤ６５からなり、付勢部材６は、マウスピース８に固着された固着部５１及び固着部５１から伸びてマウスピース８の端部４２から突出している係合部５３を有したワイヤ６又はマウスピース８に固着された固着部及びこの固着部から伸びてマウスピース８の端部４２から突出している係合部８３を有したワイヤ６６からなり、付勢部材５ａは、マウスピース８に固着された固着部及びこの固着部から伸びてマウスピース８の端部５２から突出している係合部４３ａを有したワイヤ５ａ又はマウスピース８に固着された固着部及びこの固着部から伸びてマウスピース８の端部５２から突出している係合部を有したワイヤ６５からなり、付勢部材６ａは、マウスピース８に固着された固着部５１ａ及びこの固着部５１ａから伸びてマウスピース８の端部５２から突出している係合部５３ａを有したワイヤ６ａ又はマウスピース８に固着された固着部及びこの固着部から伸びてマウスピース８の端部５２から突出している係合部を有したワイヤ６６からなり、ワイヤ５の係合部４３及びワイヤ６の係合部５３並びにワイヤ５ａの係合部４３ａ及びワイヤ６ａの係合部５３ａ又はワイヤ６５の係合部７３及びワイヤ６６の係合部８３は、弾性を有しており、第一大臼歯２及び２ａに対して圧下させるＢ方向の付勢力及び挺出させるＡ方向の付勢力を与えられるように復元可能に撓められながら係合突起３及び４並びに３ａ及び４ａに係合するようになっているために、マウスピース８の歯７への取り付け及び取り外しをより簡単に行うことができ、また、マウスピース８を口外から視認され難くすることができて審美性の向上をも図り得る。
【００４８】
尚、歯列矯正具１は、係合突起部材１４に代えて、例えば図９の（ａ）及び（ｂ）に示すように、調整対象歯としての第一大臼歯２の周面１１の頬側の部位１８に接合される接合面９１を有しており、接合面９１に対面する他方の面９２に係合突起３が設けられている変形可能な板状片９３と、板状片９３と同様に形成されており、部位１９に接合される接合面９１に対面する他方の面９２に係合突起４が設けられている変形可能な板状片９４とを具備していてもよい。板状片９３及び９４は、歯面の形状に合致するように変形可能な薄板からなり、０．０５ｍｍから０．５ｍｍ程度の肉厚を有していてもよく、また、０．１ｍｍから０．５ｍｍ程度の肉厚を有していてもよい。板状片９３及び９４は、その周縁９５が切削等により除去されることによって所望の大きさに調整され得る。板状片９３及び９４の周縁９５には、テーパ処理が施されていてもよい。接合面９１は、例えば、メッシュ加工を施すことによって形成された凹凸形状であってもよく、斯かる接合面９１は、接着剤等により歯面に強固に接合することができる。斯かる板状片９３及び９４によれば、歯面に対する接合領域を狭めることができ、装着者に口内における異物感を与える虞を低減させ得る。尚、歯列矯正具１は、係合突起部材１４ａに代えて、上記同様に形成され、係合突起３ａが設けられた板状片（図示せず）及び係合突起４ａが設けられた板状片（図示せず）を具備していてもよい。
【００４９】
歯列矯正具１は、係合突起３に代えて、例えば図１０の（ａ）及び図１０の（ｂ）に示すように、係合部４３の棒状部４６に当接する平坦面１１１を有した係合突起１１３を有していてもよく、斯かる平坦面１１１は、環状体１２の外周面１３又は板状片９３の面９２に対して直交するように係合突起１１３の下顎側の部位４７に設けられていてもよく、また、例えば図１０の（ｂ）に示すように、環状体１２の外周面１３又は板状片９３の面９２に対して鋭角θをもって交わるように係合突起１１３の下顎側の部位４７に設けられていてもよい。平坦面１１１に当接する係合部４３の棒状部４６は、例えば図１０の（ａ）に示すように、平坦面１１１に対して相補的な形状の平坦面１１４を有していてもよい。また、歯列矯正具１は、係合突起３に代えて、例えば図１１の（ａ）及び図１２の（ｂ）に示すように、係合部４３の棒状部４６に当接する湾曲面１１５を下顎側の部位４７に有した係合突起１１６を有していてもよく、湾曲面１１５は、係合部４３に向かって凹状となっていてもよい。斯かる湾曲面１１５は、係合部４３の係合突起１１６からの離反を阻止し得る。更にまた、歯列矯正具１は、係合突起３に代えて、例えば図１１の（ｂ）及び図１２の（ｃ）に示すように、下顎側の部位４７に設けられた平坦面１１１若しくは湾曲面（図示せず）と、環状体１２又は板状片９３との間に係合部４３が配されるように当該環状体１２又は板状片９３から離反した位置に配設された係合部脱落防止用の張出部１１７とを有した係合突起１１８を有していてもよい。張出部１１７は下顎側に向かって張り出している。係合突起１１３、１１６及び１１８の係合相手部材がワイヤ６５である場合には、平坦面１１１及び湾曲面１１５は係合突起１１３、１１６及び１１８の上顎側の部位７７に夫々形成されていてもよく、張出部１１７は上顎側に向かって張り出していてもよい。斯かる係合突起１１３、１１６及び１１８によれば、係合部４３と当該係合突起１１３、１１６及び１１８との係合をより確実に行わせ得る。尚、歯列矯正具１は、係合突起４並びに係合突起３ａ及び４ａに代えて、係合突起１１３、１１６及び１１８を具備していてもよい。ワイヤ５及び６並びにワイヤ５ａ及び６ａ又はワイヤ６５及び６６には、平坦面１１４が形成されていてもよい。
【００５０】
ワイヤ５及び６の係合部４３及び５３の先端部は、本例では膨大部４６及び５６となっているが、例えば図１３及び図１４に示すように、斯かる膨大部４６及び５６を除去し、当該ワイヤ５及び６の係合部４３及び５３の夫々の先端部を互いに連結して一つのワイヤ１２０を形成してもよい。斯かるワイヤ１２０によれば、例えば図１４に示すように、係合部４３と係合部５６との相互の意図しない離反を防止し得て、ワイヤ１２０と係合突起３及び４との係合をより確実に行わせ得る。また、歯列矯正具１は、例えば調整対象歯の遠心側に隣接する歯が存在しない場合においては、係合突起３及び４に加えて又はこれらに代えて、当該調整対象歯の遠心側に装着される係合突起（図示せず）を具備し、当該係合突起とワイヤ１２０とを係合させて当該調整対象歯に対してＡ方向の付勢力を与えるようになっていてもよい。尚、歯列矯正具１は、ワイヤ５ａ及び６ａ並びにワイヤ６５及び６６に代えて、ワイヤ１２０を具備していてもよい。
【００５１】
歯列矯正具１は、例えば図１５及び図１６に示すように、マウスピース８に係合するように中切歯２１及び２１ａ、側切歯２２及び２２ａ、犬歯２３及び２３ａ、第一小臼歯２４及び２４ａ並びに第二小臼歯２５及び２５ａの少なくともいずれか一つに装着される（図１５においては前歯に夫々装着される）マウスピース装着用の突起１０１を更に具備していてもよく、斯かる突起１０１は、例えば、装着された歯７の舌側の面から舌側乃至咽側に向かって突出していてもよい。斯かる場合には、マウスピース８の夫々には突起１０１に係合される凹部（図示せず）が歯面に当接する当接面３１側に形成されていてもよい。マウスピース８が突起１０１に係合された場合には、マウスピース８の歯７への装着がより確実となり、而して、斯かるマウスピース８によってワイヤ５及び６並びにワイヤ５ａ及び６ａ又はワイヤ６５及び６６をより好適に保持し得る。斯かるマウスピース８は、突起１０１が装着された歯７から予め型取りされた歯形の形状に基づいて形成されていてもよい。
【００５２】
本例の歯列矯正具１は、下顎側の歯に装着されるものであるが、例えば図１７に示すように、当該歯列矯正具１と同様に上顎側の歯に装着される歯列矯正具１０５を構成することも可能である。また、歯列矯正具１及び１０５は、永久歯に装着されるものであるが、当該歯列矯正具１又は１０５と同様に乳歯に装着される歯科矯正具（図示せず）を構成することも可能である。
【図面の簡単な説明】
【００５３】
【図１】本発明の実施の形態の好ましい例の斜視説明図である。
【図２】図１に示す例の主にマウスピース及び付勢部材の平面説明図である。
【図３】（ａ）は図１に示す例のマウスピース及び付勢部材の側面説明図、（ｂ）は図１に示す例の主に付勢部材及び係合突起の係合に関する説明図である。
【図４】図１に示す例の主に係合突起部材の拡大斜視説明図である。
【図５】図１に示す例の主に付勢部材及び係合突起部材の説明図である。
【図６】図１に示す例の取付説明図である。
【図７】（ａ）は図１に示す例のマウスピース及び他の態様の付勢部材の側面説明図、（ｂ）は前記（ａ）に示す付勢部材及び係合突起の係合に関する説明図である。
【図８】図７に示す例の主に付勢部材及び係合突起部材の説明図である。
【図９】（ａ）は図１に示す例の主に板状片の斜視説明図、（ｂ）は前記板状片の断面説明図である。
【図１０】（ａ）及び（ｂ）は主に図１に示す例の夫々異なる態様の係合突起の断面説明図である。
【図１１】（ａ）及び（ｂ）は主に図１に示す例の夫々異なる態様の係合突起の断面説明図である。
【図１２】（ａ）、（ｂ）及び（ｃ）は主に図１に示す例の夫々異なる態様の係合突起及び付勢部材の説明図である。
【図１３】本発明の実施の形態の他の例の主に付勢部材及びマウスピースの平面説明図である。
【図１４】図１３に示す例の取付説明図である。
【図１５】本発明の実施の形態の他の例の一部断面説明図である。
【図１６】図１５に示す例の主に係合突起の拡大説明図である。
【図１７】本発明の実施の形態の他の例の一部断面説明図である。
【符号の説明】
【００５４】
１  歯列矯正具
２、２ａ  第一大臼歯
３、３ａ、４、４ａ  係合突起
５、５ａ、６、６ａ  付勢部材
８  保持部材
【図１】
0005186915.tif 000002
【図２】
0005186915.tif 000003
【図３】
0005186915.tif 000004
【図４】
0005186915.tif 000005
【図５】
0005186915.tif 000006
【図６】
0005186915.tif 000007
【図７】
0005186915.tif 000008
【図８】
0005186915.tif 000009
【図９】
0005186915.tif 000010
【図１０】
0005186915.tif 000011
【図１１】
0005186915.tif 000012
【図１２】
0005186915.tif 000013
【図１３】
0005186915.tif 000014
【図１４】
0005186915.tif 000015
【図１５】
0005186915.tif 000016
【図１６】
0005186915.tif 000017
【図１７】
0005186915.tif 000018